(57)【要約】【課題】  人為的なスイッチの切り換えを行うことなく、接点信号及び電圧信号の入力を可能な遊技機信号入力回路において、回路構成を簡略化するとともに、高い信頼性を確保する。【解決手段】  遊技機１の外部出力信号を入力する入力部１１と、入力した外部出力信号を所定の出力信号に変換する変換部１２と、変換した出力信号を周辺機器へ出力する出力部１３とを備える遊技機信号入力回路１０であって、変換部１２は、外部出力信号が接点開信号であるとき、外部出力信号を第一の出力信号（＋Ｖ）に変換し、外部出力信号が接点閉信号であるとき、外部出力信号を第二の出力信号（０Ｖ）に変換し、外部出力信号が所定レベル以上の電圧信号であるとき、リレー回路１７の切り換えによって、外部出力信号を第二の信号（０Ｖ）に変換する。【選択図】      図２
2005118477.tif 000002
【特許請求の範囲】
【請求項１】
遊技機の外部出力信号を入力する入力部と、入力した前記外部出力信号を所定の出力信号に変換する変換部と、変換した前記出力信号を出力する出力部とを備える遊技機信号入力回路であって、
前記変換部は、
前記外部出力信号が接点開信号であるとき、前記外部出力信号を第一の出力信号に変換し、
前記外部出力信号が接点閉信号であるとき、前記外部出力信号を第二の出力信号に変換し、
前記外部出力信号として所定レベル以上の正負いずれかの直流電圧信号が印加されたとき、変換部の切り換え回路の切り換えによって、前記外部出力信号を第二の出力信号に変換し、
前記直流電圧信号が開放されて印加されないときは、前記外部出力信号を第一の出力信号に変換する
ことを特徴とする遊技機信号入力回路。
【請求項２】
前記入力部が所定レベル以上の正負いずれかの直流電圧信号を入力したとき、この直流電圧信号によって切り換え動作し、前記外部出力信号と入力部が切り離される
ことを特徴とする請求項１記載の遊技機信号入力回路。
【請求項３】
前記切り換え回路と前記出力部との間に、保護用の抵抗及び／又はダイオードを備える
ことを特徴とする請求項１又は２記載の遊技機信号入力回路。
【請求項４】
前記切り換え回路は、リレー及び／又は半導体スイッチを用いて構成される
ことを特徴とする請求項１〜３のいずれかに記載の遊技機信号入力回路。
【発明の詳細な説明】
【技術分野】
【０００１】
本発明は、遊技機が出力する外部出力信号を、所定の出力信号に変換して出力する遊技機信号入力回路に関する。
【背景技術】
【０００２】
通常、パチンコ機、スロットマシンなどの遊技機は、外部出力端子を備えており、この外部出力端子から遊技状態を示す信号が出力されている。例えば、パチンコ機は、大当たり信号、確率変動信号、スタート信号、金枠開閉信号などを外部出力するように構成されている。
これらの外部出力信号は、ホールに設置される周辺機器（台ユニット、島ユニット、ホールコンピュータ、遊技データ表示装置、呼び出しランプ装置など）に入力され、遊技データの集計・表示、不正行為の監視、ランプ制御などに利用されている。
【０００３】
ところで、遊技機が出力する外部出力信号の信号タイプは、遊技機メーカ間で統一されていないため、接点信号を外部出力する遊技機と、電圧信号を外部出力する遊技機とが存在している。
したがって、周辺機器側では、接点信号用の信号入力回路と、電圧信号用の信号入力回路とを用意し、いずれかの信号入力回路を選択的に用いて、遊技機の外部出力信号を入力することが求められていた。
【０００４】
しかしながら、接点信号用の信号入力回路と、電圧信号用の信号入力回路とを別々に構成した場合、入力端子の数が増加してコストアップになるだけでなく、機種の入れ替えに際して配線作業が煩雑になるという問題がある。また、配線を間違えると、回路が焼損する可能性もある。
【０００５】
そこで、近年においては、接点信号及び電圧信号を入力可能な信号入力回路が提案されている（例えば、特許文献１〜３参照。）。
例えば、特許文献１、２に示される信号入力回路は、接点信号及び電圧信号の入力端子を共通化し、スイッチ操作で回路を切り換えることにより、接点信号及び電圧信号に対応している。
また、特許文献３に示される信号入力回路は、スイッチ操作を行わなくても、接点信号及び電圧信号に対応できるように構成されている。
【特許文献１】特開平１０−１１１８１号公報
【特許文献２】特開平１０−９９５２６号公報
【特許文献３】特許第３２１７７０９号公報
【発明の開示】
【発明が解決しようとする課題】
【０００６】
しかしながら、特許文献１、２に示されるものでは、機種を入れ替える際、その機種が出力する信号タイプを確認し、人為的にスイッチの切り換えを行う必要があるため、入れ替え台数が多い場合、スイッチの切り換え作業に手間がかかるという問題がある。また、このものでは、スイッチの切り換えを忘れたり、間違えたりすると、従来と同様に回路が焼損する可能性もある。
【０００７】
一方、特許文献３に示されるものでは、人為的なスイッチの切り換えが不要になるものの、クロック信号を用いる複雑な回路構成となっているため、コストアップをまねくだけでなく、信頼性が低下するという問題がある。
特に、特許文献３のように、極性のある半導体（ダイオード、トランジスタなど）を用いて回路を構成すると、回路構成が複雑になるだけでなく、耐電圧が低下し、サージなどで回路が焼損する可能性がある。
【０００８】
本発明は、上記の事情にかんがみなされたものであり、人為的なスイッチの切り換えを行うことなく、接点信号及び電圧信号の入力を可能にするものでありながら、回路構成を簡略化できるだけでなく、高い信頼性を確保することができる遊技機信号入力回路の提供を目的とする。
【課題を解決するための手段】
【０００９】
上記目的を達成するため本発明の遊技機信号入力回路は、遊技機の外部出力信号を入力する入力部と、入力した外部出力信号を所定の出力信号に変換する変換部と、変換した出力信号を出力する出力部とを備える遊技機信号入力回路であって、変換部は、外部出力信号が接点開信号であるとき、外部出力信号を第一の出力信号に変換し、外部出力信号が接点閉信号であるとき、外部出力信号を第二の出力信号に変換し、外部出力信号として所定レベル以上の正負いずれかの直流電圧信号が印加されたとき、変換部の切り換え回路の切り換えによって、外部出力信号を第二の出力信号に変換し、直流電圧信号が開放されて印加されないときは、外部出力信号を第一の出力信号に変換する構成としてある。
【００１０】
遊技機信号入力回路をこのように構成すれば、人為的なスイッチの切り換えを行うことなく、接点信号及び正負いずれの電圧信号の入力が可能になるため、機種を入れ替える際、その機種が出力する信号タイプを確認したり、スイッチを切り換える手間が省けるだけでなく、スイッチの切り換えミスや繋ぎ込みミスなどによる回路の焼損も防止することができる。
【００１１】
さらに、回路の切り換えに用いるリレーは、スイッチ部に極性がなく、回路設計の自由度が高いため、極性のある半導体で切り換え回路を構成する場合に比べ、回路構成を容易に簡略化することができる。
しかも、リレーは、耐電圧が高く、サージなどによる焼損の可能性が低いため、高い信頼性を確保することができる。
【００１２】
また、本発明の遊技機信号入力回路は、入力部が所定レベル以上の正負いずれかの直流電圧信号を入力したとき、この直流電圧信号によって切り換え動作し、外部出力信号と入力部が切り離される構成としてある。
このように構成すれば、切り換え動作中、入力側と出力側をアイソレーションし、回路の安全性を高めることができる。しかも、外部出力信号電圧が入力部に悪影響を与えることがない。
【００１３】
また、本発明の遊技機信号入力回路は、切り換え回路と出力部との間に、保護用の抵抗及び／又はダイオードを備える構成としてある。
このように構成すれば、入力部が所定レベル以上の電圧信号を入力してから、リレー回路のスイッチ部が切換わるまでの間、出力回路や出力部に入力電圧が直接印加されることを防止できる。
【００１４】
リレーは、切り換え部に極性がなく回路設計の自由度があり、また耐電圧が高く、サージなどによる焼損の可能性が低いため高い信頼性を確保できる。
半導体スイッチは、リレーを用いる場合に比べ、接点寿命を延長できるだけでなく、実装面積を小さくし、ＩＣ化の可能性もあり、装置の小型化を図ることができる。
【発明の効果】
【００１５】
以上のように、本発明によれば、接点信号及び電圧信号に対応する遊技機信号入力回路において、人為的なスイッチの切り換えが不要になるので、機種の入れ替え作業が容易になるだけでなく、スイッチの切り換えミスによる回路の焼損も防止することができる。
しかも、リレーや極性のない半導体スイッチを用いて回路の切り換えを行うため、極性のある半導体で切り換え回路を構成する場合に比べ、回路構成を簡略化できるだけでなく、信頼性を向上させることができる。
【発明を実施するための最良の形態】
【００１６】
以下、本発明の実施形態について、図面を参照して説明する。
【００１７】
まず、遊技機が設置されるホールの構成について説明する。
図１は、ホールの構成を示すブロック図である。
この図に示すように、ホールには、パチンコ機、スロットマシンなどの遊技機１や、台ユニット２、島ユニット３、ホールコンピュータ４、遊技データ表示装置５、呼び出しランプ装置６などの周辺機器が設置されている。
【００１８】
遊技機１は、大当たり信号、確率変動信号、スタート信号、金枠開閉信号などを外部出力するための外部出力端子を備えている。遊技機１が出力する外部出力信号の信号タイプは、遊技機メーカによって相違しており、接点信号を外部出力する遊技機１と、電圧信号を外部出力する遊技機１とが存在している。
【００１９】
台ユニット２は、一又は複数の遊技機１に接続され、外部出力端子から出力される信号を蓄積又は集計し、これを島ユニット３へ送信する中継ユニットである。
島ユニット３は、一又は複数の台ユニット２に接続され、台ユニット２から受信した信号を蓄積又は集計し、これをハブ７などを介してホールコンピュータ４や遊技データ表示装置５へ送信する中継ユニットである。
【００２０】
ホールコンピュータ４は、ハブ７を介して一又は複数の島ユニット３に接続され、島ユニット３から受信した信号を集計し、その表示や保存を行う。ホールコンピュータ４の操作は、主にホールの管理者が行い、集計された遊技データは、ホールの運営管理に利用される。
【００２１】
遊技データ表示装置５は、ハブ７を介して一又は複数の島ユニット３に接続され、島ユニット３から受信した信号を集計し、その表示や保存を行う。遊技データ表示装置５の操作は、主に遊技者が行い、集計された遊技データは、遊技者の台選びなどに利用される。
【００２２】
呼び出しランプ装置６は、各遊技機１の上側に設けられ、遊技者の呼び出し操作や、遊技機１の外部出力信号に応じて、ランプ制御を行う。また、呼び出しランプ装置６は、外部出力信号に応じて、大当たり回数、スタート回数などを表示する機能も備えている。
【００２３】
本発明の遊技機信号入力回路は、遊技機１の外部出力信号を入力する周辺機器に用いられる。特に、遊技機１の外部出力端子に直接接続される台ユニット２や呼び出しランプ装置６において有用である。
なお、本発明の遊技機信号入力回路が適用される機器は、上記の周辺機器に限定されない。例えば、遊技機１と周辺機器との間に介在し、専ら信号タイプの変換を行う信号変換アダプタなどの機器にも用いることができる。
【００２４】
つぎに、本発明に係る遊技機信号入力回路の実施形態について説明する。
なお、実際の遊技機信号入力回路は、通常、出力信号の波形整形やレベル変換の目的で、出力端子の上流側にバッファやインバータを備えるが、これらの構成は、本発明の要旨ではないため、図示及び説明を省略する。
【００２５】
［第一実施形態］
図２は、第一実施形態の遊技機信号入力回路を示す回路図である。
この図に示すように、第一実施形態の遊技機信号入力回路１０は、遊技機１の外部出力信号を入力する入力部１１と、入力した外部出力信号を所定の出力信号に変換する変換部１２と、変換した出力信号を出力する出力部１３とを備えている。
【００２６】
入力部１１は、正極性入力端子及び負極性入力端子を備え、これらの入力端子が、遊技機１の外部出力端子（正極性出力端子及び負極性出力端子）に接続される。
出力部１３は、正極性出力端子及び負極性出力端子を備え、これらの出力端子が、周辺機器の入力端子（正極性入力端子及び負極性入力端子）に接続される。
【００２７】
変換部１２は、入力部１１の正極性入力端子に接続される正極性信号入力経路１４と、入力部１１の負極性入力端子に接続される負極性信号入力経路１５と、信号入力経路１４、１５間の開放／短絡に応じて、出力部１３から異なる信号を出力する出力回路１６と、入力部１１から所定レベル以上の直流電圧信号が入力されたとき、切り換え動作するリレー回路１７とを備えて構成されている。
【００２８】
出力回路１６は、例えば、正極性出力端子に接続した正極性信号入力経路１４を、抵抗Ｒ１を介して、電源の第一端子（＋Ｖ）に接続するとともに、負極性出力端子に接続した負極性信号入力経路１５を、電源の第二端子（ＧＮＤ）に接続して構成される。このように出力回路１６を構成した場合は、正極性信号入力経路１４と負極性信号入力経路１５との間が開放状態のとき、出力部１３から第一の出力信号（＋Ｖ）が出力され、また、正極性信号入力経路１４と負極性信号入力経路１５との間が短絡状態のとき、出力部１３から第二の出力信号（０Ｖ）が出力されることになる。
【００２９】
リレー回路１７は、入力部１１が所定レベル以上の電圧信号を入力したとき、この電圧信号によって切り換え動作し、正極性信号入力経路１４と負極性信号入力経路１５との間を入力部と切り離して短絡させるように構成される。本実施形態のリレー回路１７を構成するリレー１８は、電磁コイルからなる駆動部１８ａと、機械的な接点からなるスイッチ部１８ｂとを備えるメカニカルリレーであり、動作電圧が、電源電圧（例えば５Ｖ）よりも高く、かつ、遊技機１の信号電圧（例えば２４Ｖ）よりも低いものが選択される。
【００３０】
駆動部１８ａは、コイルの両端が入力部１１の正極性入力端子及び負極性端子に接続される。
スイッチ部１８ｂは、二つのｂ接点と、二つのａ接点とを備えている。第一のｂ接点は、正極性信号入力経路１４に介設され、第二のｂ接点は、負極性信号入力経路１５に介設される。また、第一及び第二のａ接点は、正極性信号入力経路１４と負極性信号入力経路１５との短絡経路１９に介設される。
【００３１】
また、リレー回路１７と出力回路１６との間には、保護用の抵抗Ｒ２、Ｒ３が設けられている。また、出力回路１６には、抵抗Ｒ１とＧＮＤとを接続するようにダイオードＤ１が設けられている。これらの抵抗Ｒ２、Ｒ３とダイオードＤ１は、入力部１１が所定レベル以上の電圧信号を入力してから、リレー１８のスイッチ部１８ｂが切換わるまでの間、出力回路１６や出力部１３に入力電圧が直接印加されることを防ぐためのものであり、抵抗Ｒ１よりも十分に小さい値の抵抗値が選択される。
【００３２】
つぎに、第一実施形態に係る遊技機信号入力回路１０の動作について、図３ａ〜図３ｃを参照して説明する。
図３ａ〜図３ｃは、第一実施形態に係る遊技機信号入力回路の動作説明図である。
【００３３】
図３ａに示すように、入力部１１の入力端子間が開放（接点開信号入力時又は電圧信号が開放されて印加されない時）のときは、電源電圧により生じる電流が、電源の第一端子（＋Ｖ）から出力部１３の正極性出力端子に流れる。これにより、出力部１３からは、第一の出力信号（＋Ｖ）が出力される。
【００３４】
図３ｂに示すように、入力部１１の入力端子間が短絡（接点閉信号入力時）のときは、電源電圧により生じる電流が、電源の第一端子（＋Ｖ）から正極性信号入力経路１４、入力部１１の正極性入力端子、遊技機側の閉接点、入力部１１の負極性入力端子及び負極性信号入力経路１５を経て、電源の第二端子（ＧＮＤ）に流れる。これにより、出力部１３からは、第二の出力信号（０Ｖ）が出力される。
【００３５】
図３ｃに示すように、入力部１１が所定レベル以上の電圧信号を入力したときは、電圧信号により生じる電流が、リレー１８の駆動部１８ａに流れ、リレー１８のスイッチ部１８ｂが切り換えられる。この電流は電圧信号が逆に接続されて逆方向に流れてもスイッチ部１８ｂが切り換えられる。リレー１８が切り換え動作すると、電源電圧により生じる電流は、電源の第一端子（＋Ｖ）から正極性信号入力経路１４、リレー１８の第一のａ接点、短絡経路１９、リレー１８の第二のａ接点及び負極性信号入力経路１５を経て、電源の第二端子（ＧＮＤ）に流れる。これにより、出力部１３からは、第二の出力信号（０Ｖ）が出力される。
【００３６】
以上のように構成された第一実施形態の遊技機信号入力回路１０によれば、入力した外部出力信号が接点開信号であるとき、外部出力信号を第一の出力信号に変換し、外部出力信号が接点閉信号であるとき、外部出力信号を第二の出力信号に変換し、外部出力信号が所定レベル以上の電圧信号であるとき、リレー回路１７の切り換えによって、外部出力信号を第二の信号に変換するので、人為的なスイッチの切り換えを行うことなく、接点信号及び電圧信号の入力が可能になる。
これにより、機種を入れ替える際、その機種が出力する信号タイプを確認したり、スイッチを切り換える手間が省けるだけでなく、スイッチの切り換えミスによる回路の焼損も防止することができる。また、正負を逆に接続されても正常に動作する。
【００３７】
また、回路の切り換えに用いるリレー１８は、スイッチ部１８ｂに極性がなく、回路設計の自由度が高いため、極性のある半導体で切り換え回路を構成する場合に比べ、回路構成を容易に簡略化することができる。
しかも、リレー１８は、耐電圧が高く、サージなどによる焼損の可能性が低いので、高い信頼性を確保することができる。
【００３８】
また、遊技機信号入力回路１０の変換部１２は、入力部１１の正極性入力端子に接続される正極性信号入力経路１４と、入力部１１の負極性入力端子に接続される負極性信号入力経路１５と、正極性信号入力経路と負極性信号入力経路との間が開放状態のとき、出力部１３から第一の出力信号を出力させ、正極性信号入力経路と負極性信号入力経路との間が短絡状態のとき、出力部１３から第二の出力信号を出力させる出力回路１６と、入力部１１が所定レベル以上の電圧信号を入力したとき、この電圧信号によって切り換え動作し、正極性信号入力経路１４と負極性信号入力経路１５との間を短絡させるリレー回路１７とを備えて構成されるため、接点信号及び電圧信号が入力可能な遊技機信号入力回路１０を、簡単な出力回路１６とリレー回路１７で構成することが可能になる。これにより、遊技機信号入力回路１０の回路構成を更に簡略化し、コストを抑えることができる。
【００３９】
また、遊技機信号入力回路１０のリレー回路１７は、正極性信号入力経路１４に介設される第一のｂ接点と、負極性信号入力経路１５に介設される第二のｂ接点と、正極性信号入力経路１４と負極性信号入力経路との短絡経路１９に介設される第一及び第二のａ接点と、これらの接点を切り換える駆動部１８ａとを備えるので、リレー１８の動作中、入力側と出力側をアイソレーションし、回路の安全性を高めることができ、出力部が入力電圧信号の影響を受けない。
【００４０】
また、遊技機信号入力回路１０は、リレー回路１７と出力回路１６との間に、保護用の抵抗Ｒ２、Ｒ３やダイオードＤ１を備えるため、入力部１１が所定レベル以上の電圧信号を入力してから、リレー回路１７のスイッチ部が切換わるまでの間、出力回路１６や出力部１３に入力電圧が直接印加されることを防止できる。
【００４１】
［第二実施形態］
つぎに、本発明の第二実施形態について、図４，図５ａ〜図５ｄを参照して説明する。
ただし、第一実施形態と共通する構成については、第一実施形態と同じ符号を付し、第一実施形態の説明を援用する。
【００４２】
図４は、第二実施形態の遊技機信号入力回路を示す回路図である。
この図に示すように、第二実施形態の遊技機信号入力回路２０は、リレー回路１７がＭＯＳＥＦＴリレー（フォトＭＯＳリレー）２１、２２を用いて構成されている点が第一実施形態と相違している。
【００４３】
ＭＯＳＦＥＴリレー２１、２２は、発光素子（例えば発光ダイオード）からなる駆動部２１ａ、２２ａと、受光素子（例えばフォトダイオード）やＭＯＳＦＥＴからなるスイッチ部２１ｂ、２２ｂとを備える非メカニカルリレーであるが、メカニカルリレーと同様、スイッチ部２１ｂ、２２ｂに極性はない。
なお、本実施形態の遊技機信号入力回路２０は、正極性信号入力経路１４に介設される第一のＭＯＳＦＥＴリレー２１と、負極性信号入力経路１５に介設される第二のＭＯＳＦＥＴリレー２２とを備える。
【００４４】
図４に示すように、ＭＯＳＦＥＴリレー２１、２２の駆動部２１ａ、２２ａは、全波整流回路３１を介して、入力部１１の正極性入力端子及び負極性入力端子に接続される。このとき、駆動部２１ａ、２２ａ同士の接続は、直列、並列のいずれであってもよい。
【００４５】
全波整流回路３１は、四つのダイオードＤをブリッジ接続して構成され、入力部１１が電圧信号を入力したとき、その極性にかかわらず、駆動部２１ａ、２２ａに順方向の電流を流すように整流作用を行う。
【００４６】
全波整流回路３１と駆動部２１ａ、２２ａとの間には、抵抗Ｒ４及びツェナーダイオードＺＤ１が直列に接続されている。
抵抗Ｒ４は、駆動部２１ａ、２２ａに流れる電流を制限するためのものである。
ツェナーダイオードＺＤ１は、入力部１１が開放のとき、駆動部２１ａ、２２ａが電源電圧によって駆動されることを阻止するためのものである。したがって、ツェナーダイオードＺＤ１としては、その降伏電圧が、電源電圧（例えば５Ｖ）よりも高く、かつ、遊技機１の信号電圧（例えば２４Ｖ）よりも低いものが選択される。
【００４７】
ＭＯＳＦＥＴリレー２１、２２のスイッチ部２１ｂ、２２ｂは、それぞれｂ接点である接点ＮＣと、ａ接点である接点ＮＯとを備えている。ＭＯＳＦＥＴリレー２１の接点ＮＣは、正極性信号入力経路１４に介設され、ＭＯＳＦＥＴリレー２２の接点ＮＣは、負極性信号入力経路１５に介設される。また、ＭＯＳＦＥＴリレー２１、２２の接点ＮＯは、正極性信号入力経路１４と負極性信号入力経路１５との短絡経路１９に介設される。
【００４８】
以上のように構成された第二実施形態の遊技機信号入力回路２０によれば、リレー回路１７が、一又は複数のＭＯＳＦＥＴリレー２１、２２を用いて構成されているので、メカニカルリレーを用いる場合に比べて、接点寿命を延長できるだけでなく、リレーの実装面積を小さくし、装置の小型化を図ることができる。
【００４９】
また、遊技機信号入力回路２０は、正極性入力端子とリレー回路１７の駆動部２１ａ、２２ａとを接続する経路に、降伏電圧が電源電圧よりも高いツェナーダイオードＺＤ１を備えるため、切り換え回路１７が電源電圧によって誤作動することを確実に防止し、信頼性を更に高めることができる。
【００５０】
つぎに、第二実施形態に係る遊技機信号入力回路２０の動作について、図５ａ〜図５ｄを参照して説明する。
図５ａ〜図５ｄは、第二実施形態に係る遊技機信号入力回路の動作説明図である。
【００５１】
図５ａに示すように、入力部１１の入力端子間が開放（接点開信号入力時又は電圧信号が開放されて印加されない時）のときは、電源電圧により生じる電流が、電源の第一端子（＋Ｖ）から出力部１３の正極性出力端子に流れる。これにより、出力部１３からは、第一の出力信号（＋Ｖ）が出力される。
【００５２】
図５ｂに示すように、入力部１１の入力端子間が短絡（接点閉信号入力時）のときは、電源電圧により生じる電流が、電源の第一端子（＋Ｖ）から正極性信号入力経路１４、入力部１１の正極性入力端子、遊技機側の閉接点、入力部１１の負極性入力端子及び負極性信号入力経路１５を経て、電源の第二端子（ＧＮＤ）に流れる。これにより、出力部１３からは、第二の出力信号（０Ｖ）が出力される。
【００５３】
図５ｃ及び図５ｄに示すように、入力部１１が所定レベル以上の正負いずれかの直流電圧信号を入力したときは、電圧信号により生じる電流が、全波整流回路３１を介してＭＯＳＦＥＴリレー２１、２２の駆動部２１ａ、２２ａに流れ、ＭＯＳＦＥＴリレー２１、２２のスイッチ部２１ｂ、２２ｂが切り換えられる。したがって、正負両極性の電圧信号に対応することが可能になる。
ＭＯＳＦＥＴリレー２１、２２が切り換え動作すると、電源電圧により生じる電流は、電源の第一端子（＋Ｖ）から正極性信号入力経路１４、ＭＯＳＦＥＴリレー２１の接点ＮＯ、短絡経路１９、ＭＯＳＦＥＴリレー２２の接点ＮＯ及び負極性信号入力経路１５を経て、電源の第二端子（ＧＮＤ）に流れる。これにより、出力部１３からは、第二の出力信号（０Ｖ）が出力される。
【００５４】
以上のように構成された第二実施形態の遊技機信号入力回路３０によれば、ＭＯＳＦＥＴリレー２１、２２の駆動部２１ａ、２２ａが、全波整流回路３１を介して、入力部１１の正極性入力端子及び負極性入力端子に接続されるため、逆極性の電圧信号にも対応することができるだけでなく、配線ミスによる回路の破損も防止することができる。
【産業上の利用可能性】
【００５５】
本発明は、遊技機が出力する外部出力信号を、所定の出力信号に変換して出力する遊技機信号入力回路に適用される。特に、遊技機の外部出力信号を直接入力する周辺機器に有用な遊技機信号入力回路である。
【図面の簡単な説明】
【００５６】
【図１】ホール内の遊技機及びその周辺のシステム構成を示すブロック図である。
【図２】第一実施形態の遊技機信号入力回路を示す回路図である。
【図３ａ】第一実施形態に係る遊技機信号入力回路（入力端子間を開放）の動作説明図である。
【図３ｂ】第一実施形態に係る遊技機信号入力回路（入力端子間を短絡）の動作説明図である。
【図３ｃ】第一実施形態に係る遊技機信号入力回路（入力端子に所定電圧を印加）の動作説明図である。
【図４】第二実施形態の遊技機信号入力回路を示す回路図である。
【図５ａ】第二実施形態に係る遊技機信号入力回路（入力端子間を開放）の動作説明図である。
【図５ｂ】第二実施形態に係る遊技機信号入力回路（入力端子間を短絡）の動作説明図である。
【図５ｃ】第二実施形態に係る遊技機信号入力回路（入力端子に所定電圧を印加）の動作説明図である。
【図５ｄ】第二実施形態に係る遊技機信号入力回路（入力端子に所定電圧を図５ｃとは逆極性で印加）の動作説明図である。
【符号の説明】
【００５７】
１  遊技機
２  台ユニット
６  呼び出しランプ装置
１０、２０  遊技機信号入力回路
１１  入力部
１２  変換部
１３  出力部
１４  正極性信号入力経路
１５  負極性信号入力経路
１６  出力回路
１７  リレー回路
１８  リレー
１８ａ  駆動部
１８ｂ  スイッチ部
１９  短絡経路
２１、２２  ＭＯＳＦＥＴリレー
２１ａ、２２ａ  駆動部
２１ｂ、２２ｂ  スイッチ部
３１  全波整流回路
Ｒ１〜Ｒ４  抵抗
ＺＤ１  ツェナーダイオード
【図１】
2005118477.tif 000003
【図２】
2005118477.tif 000004
【図３ａ】
2005118477.tif 000005
【図３ｂ】
2005118477.tif 000006
【図３ｃ】
2005118477.tif 000007
【図４】
2005118477.tif 000008
【図５ａ】
2005118477.tif 000009
【図５ｂ】
2005118477.tif 000010
【図５ｃ】
2005118477.tif 000011
【図５ｄ】
2005118477.tif 000012